(57)【要約】【課題】  コストが安くかつリアルタイムで不特定多数の者に見てもらうことができるモニターへの広告表示方法を提供することにある。【解決手段】  不特定多数の者が見ることができる場所に設置されたモニター２０に特定の広告に関する静止画や動画を通信回線２を介して配信して当該静止画や動画を表示させるモニターへの広告表示方法であって、静止画や動画がカメラ付き携帯電話４０によって撮影された特定の静止画や動画であり、当該静止画や動画が電話会社の有線又は無線による電話回線を介して管理センターの１サーバー１０に送信され、当該サーバーを介してモニター２０のうち特定のモニターに所定の時刻に所定の時間だけ表示させる【選択図】        図１
2005004160.tif 000002
【特許請求の範囲】
【請求項１】
不特定多数の者が見ることができる場所に設置されたモニターに特定の広告に関する静止画や動画を通信回線を介して配信して当該静止画や動画を表示させるモニターへの広告表示方法であって、
前記静止画や動画がカメラ付き携帯電話によって撮影された特定の静止画や動画であり、当該静止画や動画が電話会社の有線又は無線による電話回線を介して管理センターのサーバーに送信され、当該サーバーを介して前記モニターのうち特定のモニターに所定の時刻に所定の時間だけ表示させることを特徴とするモニターへの広告表示方法。
【請求項２】
不特定多数の者が見ることのできる場所に設置されたモニターに特定の広告に関する静止画や動画を通信回線を介して配信して当該静止画や動画を表示させるモニターへの広告表示方法であって、
前記特定の静止画や動画がデジタルカメラによって撮影された静止画や動画であり、当該静止画や動画がパソコンによってインターネットを介して管理センターのサーバーに送信され、当該サーバーを介して前記モニターのうち特定のモニターに所定の時刻に所定の時間だけ表示させることを特徴とするモニターへの広告表示方法。
【請求項３】
前記特定のモニターに異なる種類の動画が順々に表示されると共に、前記異なる種類の動画を表示するに先立って、当該動画の表示順に当該動画に関する個々の静止画をまとめて表示することを特徴とする、請求項１又は請求項２に記載のモニターへの広告表示方法。
【請求項４】
前記モニターが信号のある交差点に設置されており、前記管理センターのサーバーに前記信号の変わる情報が送られると共に、前記信号が変わる際に当該情報に基づき前記モニター上に信号の変わる内容を表示させることを特徴とする、請求項１又は請求項２に記載のモニターへの広告表示方法。
【発明の詳細な説明】
【技術分野】
【０００１】
本発明は、例えば信号のある交差点や電車内等、不特定多数の者が往来したり乗車したりする場所に設置されたモニターへの広告表示方法に関する。
【背景技術】
【０００２】
従来から例えば街中の信号のある交差点に大画面モニターを設置してこのモニターにテレビ番組を放映すると共に、これに伴って特定の広告業者が制作した製品ＰＲなどの広告を放映して、これらの広告内容をこの場所を行き交う不特定多数の人々にアピールすることが一般的に行なわれている。また、近年、電車の車内においても各車両に小型のモニターが設置され、当該モニターに製品の広告や天気予報その他様々な情報等、いわゆる広告会社が制作した広告や情報を表示させることも行なわれている。なお、店頭販売される様々な商品の宣伝、陳列に利用できる簡易型の広告表示器は従来から知られている（例えば、特許文献１参照。）。
【０００３】
【特許文献１】特開２００２−２６８５９９（第２−４頁、図１）
【発明の開示】
【発明が解決しようとする課題】
【０００４】
上述した街中のビルに設定された大型モニターに表示される広告や電車の車内に設置されたモニターに表示される広告は、一般に広告会社に委託して特別に制作された広告である。従って、例えば中小企業や個人経営の店が自社の製品や自分の店のＰＲに使うには、広告制作費用などの点からコストが高くなって問題があり、上述した街中のモニターにおいては一般的にはこのような広告はあまり流されていない。また、このような特別に制作する広告では、広告に関連する情報を日々更新しながらリアルタイムで流すことはできない。
【０００５】
一方、このような中小企業や個人商店またはプライベートな個人であっても、例えばパソコンのホームページを利用して当該ホームページに自社製品のＰＲ、自分の店のＰＲ、個人的な自己ＰＲを行なうことが近年多く見受けられている。このような場合、例えば個人商店などに関しては自分の店の広告をコストを低く抑えつつ流すことができる。しかしながら、ホームページによる広告はあくまでパソコンを操作しながら特定のホームページを検索する意思のある者にしか目に止まることができず、不特定多数の者に情報を提供する広告媒体としては不十分である。
【０００６】
従って、せっかく自社製品のＰＲ、自分の店のＰＲや個人的な自己ＰＲ用のホームページを作っても、不特定多数の者に見てもらうという広告本来の目的を達成するのは難しい。
【０００７】
本発明の目的は、例えば個人商店や中小企業、またはプライベートな個人が自分の店のＰＲや自社製品のＰＲまたは自己ＰＲなどを行う際に、コストが安くかつリアルタイムで不特定多数の者に見てもらうことができるモニターへの広告表示方法を提供することにある。
【課題を解決するための手段】
【０００８】
上述の課題を解決するために、本発明の請求項１に記載のモニターへの広告表示方法は、不特定多数の者が見ることができる場所に設置されたモニターに特定の広告に関する静止画や動画を通信回線を介して配信して当該静止画や動画を表示させるモニターへの広告表示方法であって、静止画や動画がカメラ付き携帯電話によって撮影された特定の静止画や動画であり、当該静止画や動画が電話会社の有線又は無線による電話回線を介して管理センターのサーバーに送信され、当該サーバーを介してモニターのうち特定のモニターに所定の時刻に所定の時間だけ表示させることを特徴としている。
【０００９】
また、本発明の請求項２に記載のモニターへの広告表示方法は、不特定多数の者が見ることのできる場所に設置されたモニターに特定の広告に関する静止画や動画を通信回線を介して配信して当該静止画や動画を表示させるモニターへの広告表示方法であって、特定の静止画や動画がデジタルカメラによって撮影された静止画や動画であり、当該静止画や動画がパソコンによってインターネットを介して管理センターのサーバーに送信され、当該サーバーを介してモニターのうち特定のモニターに所定の時刻に所定の時間だけ表示させることを特徴としている。
【００１０】
不特定多数の者が見ることができる場所に設置されたモニターに例えばカメラ付き携帯電話によって撮影された静止画や動画または、デジタルカメラによって撮影された静止画や動画を管理センターのサーバーを介して映し出すことができる。これによって、不特定多数の者が見るモニターに特別な広告、例えば広告会社が時間とコストをかけて特別に制作した広告を流すような従来方式に代わって、このような個人商店や中小企業、およびプライベートな個人が撮影した静止画や動画をそれに関する広告情報とともにリアルタイムで表示することができる。その結果、広告コストを低く抑えつつ不特定多数の者に広告内容を見てもらうことが可能となる。また、宣伝広告内容を定期的にリアルタイムで変更することができるので、従来のように特別な期間を要して制作した広告とは異なり、ニーズのある広告情報を必要な時期にタイムリーに提供することができる。さらには、いわゆるパソコンで見るホームページとは異なり、不特定多数の者が意識的にまたは無意識的に見るモニターにこのような静止画または動画を表示させるので、宣伝広告効果としては非常に大きいものがある。
【００１１】
また、本発明の請求項３に記載のモニターへの広告表示方法は、請求項１又は請求項２に記載のモニターへの広告表示方法において、特定のモニターに異なる種類の動画が順々に表示されると共に、異なる種類の動画を表示するに先立って、当該動画の表示順に当該動画に関する個々の静止画をまとめて表示することを特徴としている。
【００１２】
モニターに表示する動画が連続的な場合、その動画の最初の代表的な静止画のみをまず最初にその動画の表示される順番に並べて表示するので、その状態で自分が見たい動画が何番目に表示されるかをモニターを見ながら確認することができる。
【００１３】
また、本発明の請求項４に記載のモニターへの広告表示方法は、請求項１又は請求項２に記載のモニターへの広告表示方法において、モニターが信号のある交差点に設置されており、管理センターのサーバーに信号の変わる情報が送られると共に、信号が変わる際に当該情報に基づきモニターに信号の変わる内容を表示させることを特徴としている。
【００１４】
請求項１又は２のモニターにおいて宣伝広告のための静止画または動画を流すとともに、信号の変化に応じて信号が変わるという情報を逐次表示させることができるので、横断歩道を渡っている者がモニターに見入って信号が変わるのを気付かなくなることを回避する。
【発明の効果】
【００１５】
上述の課題を解決するために、本発明の請求項１及び請求項２に記載のモニターへの広告表示方法は、不特定多数の者が見ることができる場所に設置されたモニターに例えばカメラ付き携帯電話によって撮影された静止画や動画または、デジタルカメラによって撮影された静止画や動画を管理センターのサーバーを介して映し出すことができる。これによって、不特定多数の者が見るモニターに特別な広告、例えば広告会社が時間とコストをかけて特別に制作した広告を流すような従来方式に代わって、このような個人商店や中小企業、およびプライベートな個人が撮影した静止画や動画をそれに関する広告情報とともにリアルタイムで表示することができる。その結果、広告コストを低く抑えつつ不特定多数の者に広告内容を見てもらうことが可能となる。また、宣伝広告内容を定期的にリアルタイムで変更することができるので、従来のように特別な期間を要して制作した広告とは異なり、ニーズのある広告情報を必要な時期にタイムリーに提供することができる。さらには、いわゆるパソコンで見るホームページとは異なり、不特定多数の者が意識的にまたは無意識的に見るモニターにこのような静止画または動画を表示させるので、宣伝広告効果としては非常に大きいものがある。
【００１６】
また、本発明の請求項３に記載のモニターへの広告表示方法は、モニターに表示する動画が連続的な場合、その動画の最初の代表的な静止画のみを最初にその動画の表示される順番に並べて表示するので、その状態で自分が見たい動画が何番目に表示されるかをモニターを見ながら確認することが可能となる。
【００１７】
また、本発明の請求項４に記載のモニターへの広告表示方法は、請求項１又は２のモニターにおいて宣伝広告のための静止画または動画を流すとともに、信号の変化に応じて信号が変わるという情報を逐次表示させることができるので、横断歩道を渡っている者がモニターに見入って信号が変わるのを気付かなくなるようなことを回避することが可能となる。
【発明を実施するための最良の形態】
【００１８】
以下、本発明の一実施形態にかかるモニターへの広告表示方法について図面に基づいて説明する。
【００１９】
本発明の一実施形態にかかるモニターへの広告表示方法は、例えば街中の信号のある交差点に設置されたモニターや電車の車内モニター、予備校などの待合室に設置されたモニター、公会堂などの公共施設の待合室に設置されたモニターなど不特定多数の者が往来したり居合わせる場所に設置され、かつこれらの者が意識的にまたは無意識的に見ることができるモニターに広告を表示させる方法である。
【００２０】
そして、本実施形態にかかる広告表示方法を実施するにあたっては、管理センター（広告管理会社）１が図１に示すように管理センター１のサ−バー１０から電話会社２の電話回線を介して、後述する広告に関する静止画や動画及び必要に応じてこれに付随する音声（以下、単に「静止画や動画」とする）を幾つかのモニター２０のうち、例えば特定のモニター２２に配信し、このモニター２２において特定の時刻に特定の時間だけ広告を表示するようになっている。なお、このようなモニターは、管理センター１が自社ビルを有して自社ビル内でそのサーバー１０を管理している場合は例えば自社ビルに設置された単一のモニター３０であっても良い。なお、この場合は図中に示すようにサーバー１０とモニター３０との間は電話会社２の電話回線を介さず直接接続されている。
【００２１】
一方、図１に示すように国内において複数の様々な場所にモニター２１〜２５を設置するのに加えて、国内のみならず外国においても複数のモニター２６〜２９を設置し、広告に関する静止画や動画を電話会社２の電話回線を介して配信して海外の特定のモニターに表示するようにしても良い。なお、設置するモニターの一例として、信号のある交差点などに設置する場合は、例えば４メートル×４メートル程度の大きさの大型モニターを人の認識し得るのに適した高さに設置することが考えられる。
【００２２】
管理センター１のサーバー１０には、モニターに広告を流したい者の所有するカメラ付き携帯電話４０が図１に示すように電話会社２を介して双方向に通信可能となっている。そして、このモニター２０に広告を流したい人（広告利用者）は、予め管理センター１と契約を結ぶ。この際、広告利用者は広告利用に際して使用した静止画や動画に関する著作権等の権利を配信後に主張しない為の契約を管理センター１と結んでおくことが望ましい。そして、契約後において、契約者（広告利用者）が所有するカメラ付き携帯電話４０から電話会社１に無線で静止画や動画をこれに関する広告情報とともに送信し、この送信された静止画や動画を管理センター１のサーバー１０に送る。なお、ここで言う静止画や動画は、上述したように必要に応じてこれに付随する音声情報も含んでいる。また、これと共にもしくはこれとは独立して、契約者のデジタルカメラ５０から取り込んだ静止画または動画を、これに関する広告情報とともにパソコン５５を介してインターネット経由で当該サーバー１０に送信しても良い。なお、パソコン５５と電話会社２との間の送信は有線であっても良く、無線（図示せず）で行なっても良い。
【００２３】
サーバー１０には本実施形態の場合、前述したように国内および外国に設置された複数のモニター２０が枝状につながっており、特定の時刻においてサーバー１０から特定のモニターに特定の時間だけ予め選択された静止画または動画がこれに伴う広告情報とともに配信されて表示可能となっている。なお、上述したように本実施形態のようにサーバー１０にモニター２０が枝葉状に接続されている必要は必ずしもなく単一のモニター３０がサーバー１０に接続されているだけでも良いことは言うまでもない。なお、この場合は、サーバー１０とモニター３０との間は、上述の通り電話会社２の電話回線を介する必要はなく、直接接続して良いので、後述する信号の変わる情報などを付加的情報としてモニター３０の表示内容に追加することが可能となる。
【００２４】
管理センター１のサーバー１０は例えば、モニター３０が信号のある交差点に設置された大型モニターの場合、当該サーバー１０に信号の変わる時刻や信号の変わる時間がその日ごとに情報として入力される機能を有しているのが好ましい（図中、点線矢印参照）。これによって信号が変わる際にこの変わる内容をモニター３０に表示してモニター３０を見ている者に注意を喚起することが可能となる。
【００２５】
一方、上述したようにカメラ付き携帯電話４０と電話会社２との間は一方向ではなく双方向で通信できるようになっており、電話会社２とサーバー１０の間も一方向ではなく双方向で通信できるようになっている。また、パソコン５５とサーバー１０との間も電話会社２を介して一方向ではなく双方向で通信できるようになっている。そして、このような双方向通信を利用して例えばモニター２０に表示させることができない公益に反するような静止画や動画、音声の有無を管理センター１のサーバー１０で予めチェックし、このような画像を表示させることができない旨の通知を契約者すなわちカメラ付き携帯電話４０の所持者やデジタルカメラ５０の所持者に伝えることができるようになっている。
【００２６】
なお、管理センター１のサーバー１０が特定のモニターに異なる種類の動画を順々に表示する場合、好ましくは異なる種類の動画を表示するに先立って、当該動画の表示順に当該動画に関する個々の静止画をまとめて表示するのが良い。これによって、モニターを眺める者が自分の見たい動画が何番目にモニター上に流されるかを確認することができる。
【００２７】
以下、上述のように構成された内容に基づいた本実施形態にかかるモニターへの広告表示方法の具体例をいくつかの実施例に分けて説明する。
（実施例１）
例えばカメラ付き携帯電話で摘み採る前のお茶の葉に関する静止画やお茶の葉の摘み採り風景を写した動画を撮り、摘み採られたお茶の葉が出荷する日付や時刻、並びに出荷先などを携帯電話のテンキーで入力する。そして、テンキーで入力した情報と写した画像を管理センターのサーバーに定期的に送信する。次いで、この静止画や動画及びお茶の葉に関する広告情報を、摘み採られたお茶の葉が出荷される前後の時期にこのお茶の葉が出荷される都市の街中に設置されたモニターに一定時間表示させる。これによって、摘み採った瞬間のお茶の葉に関する画像やお茶の葉を摘み採る風景、及びこれに関して文字化された広告情報を当該モニターを介して不特定多数の者に見てもらい、このお茶の葉の購買意欲を喚起する。このように従来には無いお茶の葉の摘み採りや出荷に合わせた最新の広告情報をリアルタイムで提供することによって、コストを低く抑えつつ宣伝広告効果を高めることが可能となる。
（実施例２）
地方の農協のハウスにおいて採りたての野菜や果物等の出荷前の状態をこれに関する広告情報とともに、例えばカメラ付き携帯電話やデジタルカメラで撮って静止画として送り、ちょうど都会の消費地に出荷する頃合いを見計らってこの静止画や動画をこれに関する広告情報とともに街中のモニターに表示させ、この新鮮な採りたての野菜や果物の広告を行なうようにしても良い。この場合も、上述した摘みたてのお茶の葉と同様に新鮮な野菜や果物の画像とこれに関する広告情報を出荷時に合わせて出荷先の街中に設置されたモニターに表示させることができ、低コストを維持しつつ宣伝広告効果を高めることができる。
（実施例３）
例えば漁船で釣りたての魚を漁船に乗ったままでカメラ付き携帯電話やデジタルカメラに写し、電話回線を介して管理センターのサーバーにこの画像を送信し、この釣りたての魚の出荷先や出荷された魚の調理先の広告情報とともに街中の特定のモニターに表示するようにしても良い。具体的には、このような釣り上げた魚の出荷先である特定の居酒屋や旅館における特別料理メニューなどの宣伝画面としてこのような釣りたての魚の静止画や動画を利用し、これを管理センターのサーバーを介してモニター上に表示させるようにしても良い。このように釣りたての魚とこれに関する広告情報をサーバーを介して毎回リアルタイムでモニターに配信し、釣りたての新鮮な魚が調理される居酒屋や旅館の宣伝とあわせて表示させることによって、このモニターを見る者に強く印象付けるとともに興味を喚起することができ、従来の居酒屋や旅館に関するありきたりの宣伝と差別化でき、宣伝広告効果をより高めることができる。
（実施例４）
本実施形態の広告方法を例えば観光協会の宣伝に使うことも可能である。具体的には、例えばある地方の観光協会においてその観光地に訪ねてきた人々の画像をカメラ付き携帯電話やデジタルカメラに撮影し、この画像をその季節ごとの風景や情景、及び観光協会開催の週末イベントと共にリアルタイムで管理センターのサーバーに送信し、当該サーバーを介してモニターに配信するようにしても良い。これによって今まで良く見かける観光協会のありきたりのＰＲ画面などと異なり、当該モニターを眺める不特定多数の者にその時期にあったその観光地の魅力をリアルタイムで紹介することができる。その結果、従来に較べて低いコストで宣伝広告効果を高めることができる。
（実施例５）
外国の街角において設置されたモニターに本実施形態にかかる管理センターのサーバーから特定の静止画または動画を送って本実施形態にかかる広告方法を実施することも可能である。一例として、中小企業がオリジナリティのある小物部品を多数試作品として例えば一週間程の短期間ごとに制作したとする。そして、この試作品の海外市場における反響度合いを一週間ごとにその都度リアルタイムで知りたい場合がある。このような場合においては、幾つかの試作部品が全て揃った状態において広告会社に委託してすべての部品の広告を作り、この部品を外国において設置されたモニターにまとめて流しても広告制作時間等や広告制作コストがかさむとともに、試作品の反響度合いを各試作品の完成と同時にリアルタイムで知ることができない。しかしながら、本実施形態にかかるモニターへの広告表示方法を行なうことによって、例えばニューヨークの交差点に設置された大きなモニターに毎週ごとに異なる試作品を表示し、各試作品に対する米国（ニューヨーク）市場の反応度合いをリアルタイムで知ることができるようにすれば、新製品開発やその後の商品販売戦略において非常に役立てることができる。
（実施例６）
実施例６は上述した実施例と異なり、本実施形態にかかる広告方法を用いて個人的な情報を不特定多数の者に提供する仕方を説明したものである。例えば本実施例においては、予備校のロビーなどに設置されたモニターにこの予備校に通って来る生徒の地方に住む両親からの励ましのメールなどを逐次（例えば三日ごとに）に表示することによって、予備校に通っている生徒を励ます効果を生じさせる。これはいわゆる従来のビデオレターのようなものであるが、本実施形態によるモニターへの広告表示方法を実施すれば、わざわざ撮影したビデオを予備校に定期的に郵送する必要はなく、カメラ付き携帯電話やデジタルカメラ等で両親の様子を静止画または動画として気軽に撮影し、励ましの文字を携帯電話のテンキーやパソコンで打ち込む。そして、これらを管理センターのサーバーを介して自分の子どもの通っている予備校のモニターを指定して例えば励ましのテロップとともにこの静止画や動画を表示させることが可能となる。また、従来のビデオレターのようにモニターに放映する種類ごとにいちいちビデオを入れ替える手間を省くことができるので、予備校側にとってもメリットが大きい。また、励ましの一言を音声として上述した静止画や動画と併せてモニターのスピーカーから流すとより効果的である。
（実施例７）
本実施例は、前述した外国に設置されたモニターに管理センターのサーバーを介して静止画または動画を配信する場合に関連した広告方法である。例えば日本と外国の各都市間で友好親善をはかるいわゆる姉妹都市制度がある。このような場合に単に形式的に姉妹都市とするだけでなく各都市の住人たちが相互理解できるようにすることが望ましい。このような目的の為に本実施形態にかかるモニターへの広告表示方法は大きな効果を発揮する。具体的には例えば日本の都市Ａとカナダの都市Ｂとが姉妹都市の関係にある場合に、日本のＡ市に住む市民がカメラ付き携帯電話やデジタルカメラ等で写したＡ市の風景、市民の生活や市民の自己紹介に関する静止画や動画を英語による説明文を添えて管理センターのサーバーを介してカナダの都市Ｂにある公共施設等に設置された一つ又は複数のモニターに定期的に配信する。これによってカナダの姉妹都市Ｂ市に住む市民は日本の姉妹都市Ａ市に住む市民の日々の風景やＡ市でおこっている行事などを例えば二週間に一回や毎月ごとに内容の変わる画像としてリアルタイムで見ることができる。この逆に、カナダの姉妹都市Ｂに住む市民の日常生活を同じく定期的に管理センターのサーバーを介して日本の姉妹都市Ａにある公会堂や市役所等に設置された一つ又は複数のモニターに表示する。これによって各都市間の人たちの様々な日常生活が逐次リアルタイムで放映されて各都市間の住人の相互理解が深まり、単に形式上の姉妹都市となっているだけでなく実質的に相互理解の深まった姉妹都市とすることができる。
【００２８】
以上の実施例に加えて、本実施形態にかかるモニターへの広告表示方法において好ましい変形例や追加例を以下に紹介する。
【００２９】
本実施形態に加えて、街角に設置され本実施形態にかかる広告の表示されるモニターに関する現状の表示を例えば各自のパソコンで管理センターのサイトを開いてホームページを見ることによってパソコン上で確認できるようにしても良い。これによってモニターの設置された場所にいなくても、そのモニターにどのような表示がなされているか、また自分の配信した静止画や動画がその時刻にモニターに表示されているか否かも確認することができる。
【００３０】
また、例えば携帯電話に備わったアプリケーションプログラムのダウンロード機能を利用して、広告内容を見る不特定多数の者が、自分の携帯電話に管理センターで配信して現在モニター上に表示されている内容を自分の携帯電話にダウンロードできる機能を備えるようにしても良い。これによって、モニターの広告を見た者は、自分の興味のある広告を選択的に自己の携帯電話にダウンロードでき、モニターの設置された場所を離れた後にもその広告内容を再確認したり活用することが可能となる。
【００３１】
また、図１に示すように管理センターのサーバーから特定の広告に関する静止画や動画をプロバイダに送信して、この静止画や動画を二次的な情報として活用するようにしても良い。
【００３２】
なお、上述した電話会社と管理センター、各モニター間の通信形態は通常の電話（通信）回線に特に限定されるものではなく、衛星移動通信や光通信等様々な通信方式が本発明の実施形態に適用可能であることは言うまでもない。
【００３３】
また、上述の実施形態で説明したモニターには電車の車両に取り付けられたモニターなども含むことは言うまでもない。
【００３４】
また、上述のモニターへの静止画や動画を表示させることに伴って、この表示内容に関連又は付随する音声も当該モニターのスピーカーから流すようにして音声を含めた広告情報の提供を本発明では実施可能であることは言うまでもない。
【００３５】
また、上述したカメラ付き携帯電話はその用語の意味に一義的に限定されるものではなく、近年のカメラ付き携帯電話の高機能化に伴って市場に出回っているいわゆるカメラ付き携帯テレビ電話も含むことは言うまでもない。
【００３６】
なお、特に、近年では人口密集型社会となり、事故や災害が日々増えて特に超高層ビルが乱立し、大型輸送機が飛び交う大都市空間においては、大きな事故や災害が一旦発生すると、現場内外部やその周辺の状況が確認できず、二次災害を引き起こす実例も多く見られる。そこで、このような事故や災害の発生時に本実施形態に記載したようなカメラ付き携帯電話を利用してサーバーを介して画像処理を行い、諸官庁を始め、警察署、消防署、又は緊急移動車両等のモニターに事故現場や災害現場の情報をリアルタイムにて正確に伝えるようにすることも一応用例として考えられる。また、放送局等においてはカメラ付き携帯電話を同時に複数台用いることで、局内のディレクター、アナウンサーの直接の指示を受けながら現場の状況を正確に視聴者に伝えることも可能である。
【００３７】
このような方法の実施形態も、本発明である、「不特定多数の者が見ることができる場所に設置されたモニターに特定の広告に関する静止画や動画を通信回線を介して配信して当該静止画や動画を表示させるモニターへの広告表示方法であって、静止画や動画がカメラ付き携帯電話によって撮影された特定の静止画や動画であり、当該静止画や動画が電話会社の有線又は無線による電話回線を介して管理センターのサーバーに送信され、当該サーバーを介してモニターのうち特定のモニターに所定の時刻に所定の時間だけ表示させることを特徴とするモニターへの広告表示方法」の範囲内に広義の意味で含まれると言える。すなわち、商品購買意欲を喚起するような利用の仕方に通常限定される本発明の広告表示方法を、大事故や災害が発生した際、事故現場や災害現場の正確かつリアルタイムでの状況表示を様々な場所に設置されたモニターに表示することも本発明を実施する上での一態様とみなせる。これによって、事故現場や災害現場への救助隊の迅速な派遣や救援物資の迅速な配送に役立てることができる。従って、本発明にかかるモニターへの広告表示方法は狭義の意味での広告表示に使用が限定されるものではないことに留意すべきである。
【産業上の利用可能性】
【００３８】
信号のある交差点や電車内等、不特定多数の者が往来したり乗車したりする場所に設置されたモニターであればいかなるものにも適用可能である。
【図面の簡単な説明】
【００３９】
【図１】本発明の一実施形態にかかるモニターへの広告表示方法の概略構成を示した図である。
【符号の説明】
【００４０】
１    管理センター
２    電話回線
２０（２１〜２９）    モニター
３０    モニター
４０    カメラ付き携帯電話
５０    デジタルカメラ
５５    パソコン
【図１】
2005004160.tif 000003